(57)【特許請求の範囲】
【請求項１】
ツルだけでなくフロント部も該ツルと重なり合わないように折畳まれてコンパクトに収納出来る折畳み式メガネにおいて、ワタリの両側にはヨロイを設けると共に該ヨロイにはツルが折畳み出来るように取り付け、上記ワタリ中央に設けているブリッジの軸穴には各リムに設けた軸を嵌め、軸にはコイルバネを巻き付けて該コイルバネの一端は軸側に他端はブリッジ側に係止すると共にストッパーによって回転角度を規制し、又、上記軸が軸穴から外れないようにしたことを特徴とする折畳み式メガネ。
【請求項２】
上記ブリッジの両端には切欠きを形成し、両端から所定の位置にはスリット溝を有し、リムに取着している軸先端部には溝を設けると共に基部にはストッパーを軸の外周面から突出し、この軸をブリッジの軸穴に嵌めた状態でスリット溝から入れたバネ性のリングを上記溝に嵌めることで軸がブリッジ軸穴から外れない構造とし、ストッパーは切欠きに沿って回転すると共に切欠き端に当って回転が規制されるようにした請求項１記載の折畳み式メガネ。
【請求項３】
ツルだけでなくフロント部も該ツルと重なり合わないように折畳まれてコンパクトに収納出来る折畳み式メガネにおいて、ワタリの両側にはヨロイを設けると共に該ヨロイにはツルが折畳み出来るように取り付け、上記ワタリ中央に設けているブリッジの軸穴には軸を嵌め、軸にはコイルバネを巻き付けて該コイルバネの一端は軸側に他端はブリッジ側に係止する共にストッパーによって回転角度を規制し、又上記軸が軸穴から外れないようにすると共に軸穴から突出した軸の両端にはリムを固定したことを特徴とする折畳み式メガネ。
【発明の詳細な説明】
【０００１】
【発明の属する技術分野】
本発明はフロント部がブリッジを中心として回転することでコンパクトに収納することが出来る折畳み式メガネに関するものである。
【０００２】
【従来の技術】
普通のメガネは両ツルが折畳まれてケースに収納されるのが一般的である。ツルはフロント部両側にロウ付けされているヨロイに蝶番を介して取付けられている為に、顔から外されたメガネは蝶番を軸として折畳まれるが、この場合ツルはメガネのフロント部と重なり合った状態となる。したがって折畳まれてもその厚みは比較的大きくて収納する為のケースは分厚いものになる。
【０００３】
そこで、よりコンパクトに折畳んで収納することが出来るように、ツルの折畳みを従来の方向に加えて垂直方向にも折畳み可能としたメガネが使われている。図５は従来の折畳み式メガネが折畳まれている場合を示している。フロント部(イ)の両側にロウ付けされているヨロイ(ロ)、(ロ)には第１継手(ハ)が設けられ、そしてヨロイ先端に備えている第２継手(ニ)を介してツル(ホ)が取付けられている。
【０００４】
ツル(ホ)は第２継手(ニ)を介して開閉することが出来、一方の第１継手(ハ)は２分割されているヨロイ(ロ)の先端部を回転することが出来、同時にツル(ホ)を旋回させる。図５はツル(ホ)が旋回すると共に折畳まれた状態であって、フロント部(イ)とツル(ホ)、(ホ)は同一面に収まっている。普通のメガネには上記第１継手(ハ)がない為に、ツル(ホ)、(ホ)が折畳まれるならばフロント部(イ)の内側に重なり合う。したがって収納時の厚さはフロント部(イ)にツル(ホ)、(ホ)をプラスした大きさと成ってしまう。
【０００５】
ところが、第１継手(ハ)、(ハ)をフロント部(イ)の両側に備えている為に、メガネを着用している際に、特に身体を動かす場合にはフロント部(イ)の重量によって第１継手(ハ)、(ハ)が動き、その結果フロント部(イ)が傾斜し、時には顔から外れようとする。勿論、第１継手(ハ)を備えることで着用したメガネのフィット性は良くない。
【０００６】
【発明が解決しようとする課題】
このように従来の折畳み式メガネには上記のごとき問題がある。本発明が解決しようとする課題はこの問題点であり、コンパクトに収納することが出来るだけでなく、着用したメガネのフロント部が傾いたりせずに安定性のある折畳み式メガネを提供する。
【０００７】
【課題を解決する為の手段】
本発明の折畳み式メガネは折畳んでケースに収納する際には前記図５に示すような状態となるが、ツルを取付けているヨロイは回転しない一体構造と成っている。本発明ではブリッジに軸穴を設け、この軸穴にリムから延ばした軸が嵌って取付けられる。勿論、軸穴に嵌った軸は回転することが出来る為にリムは折畳まれる。
【０００８】
ところで、軸穴が形成されるブリッジはフロント部のワタリ中央に位置し、ワタリの両側にはヨロイが取付けられ、又はワタリにヨロイが連続して形成される。そして軸穴に嵌る軸にはコイルバネが取着されていて、折畳まれるリムから手を放すならば元の状態に復帰するようにバネ力が付勢されている。すなわち、折畳まれてケースに収納されるが、ケースから取出すと同時に、独りでにフロント部は回転してもとの状態となる。以下、本発明に係る実施例を図面に基づいて詳細に説明する。
【０００９】
【実施例】
図１は本発明に係る折畳み式メガネを示している実施例である。同図の１はリム、２はワタリ、３はヨロイ、４はツルを示しており、ワタリ２は両マユ５，５をブリッジ６によって連結したものであり、ヨロイ３，３はワタリ２の両側に連続して形成している。勿論、ヨロイ３，３を別部品として製作し、これをワタリ３，３の側端にロウ付けすることもある。そしてヨロイ先端にはツル４が継手７を介して折畳み出来るように取付けられている。
【００１０】
ここで、リム１はレンズ８の全周を拘束しているリング状となっているが、上側半分を拘束したハーフリムを使用し、下側には水糸等の高張力糸を用いる場合もある。ところで該リム１，１はワタリ２のブリッジ６に取付けられて折畳み出来るように成っている訳であり、リム１から中央側へ延びる軸がブリッジ６に嵌って回転することが出来る。
【００１１】
図２はブリッジ６と軸９を分離した状態で示している。ブリッジ６は軸９が嵌る為の軸穴１０を有した筒であり、両端には切欠き１１，１１を一部に有し、又両端から所定の位置にスリット溝１２，１２を一部に形成している。この切欠き１１，１１は軸９，９に設けて外周から突出しているストッパー１３，１３が嵌って移動することが出来る範囲内で形成されている。すなわち、リム１が折畳まれる際に軸９が回転する回転角度がこの切欠き１１によって規制される。
【００１２】
一方のスリット溝１２，１２はリング１４，１４を軸先端部に形成している溝１５，１５に嵌める為の一種の窓であり、軸９，９をブリッジ６の軸穴１０に嵌めたところで、該スリット溝１２，１２からバネ性リング１４，１４を溝１５，１５に嵌めることが出来る。リング１４，１４が溝１５，１５に嵌ることで軸９，９はブリッジ６の軸穴１０から外れることはない。
【００１３】
軸９にはコイルバネ１６が巻かれ、その一端は外周に設けている止着穴１７に嵌り、他端はブリッジ６に係止される。したがってリム１が折畳まれると同時に軸９が回転するならば、コイルバネ１６は捩られてバネ力が発生し、軸９を逆転させるトルクが発生し、手を放すならばリム１は元の位置に復帰する。
【００１４】
軸９には同図に示すようにコイルバネ１６が巻かれているが、ブリッジ６の軸穴１０に嵌る際にコイルバネ１６が邪魔にならないように、段付き軸９と成っている。軸９の先端と基部において外径を大きくし、この部分が軸穴１０の内周面とクリアランスを殆ど無しに嵌合し、リム１をガタ付くことなく安定して支持することが出来る。
【００１５】
図３はブリッジ６の軸穴１０に軸９が嵌っている場合を示している。前記図１に示しているリム１の位置はストッパー１３が切欠き１１の先端に当っている状態であり、リム１は所定の位置に停止している。この状態であっても、リム１が安定して停止するように、コイルバネ１６のバネ力が付勢されている。そしてリム１に嵌っているレンズ８の表面を押圧するならば折畳まれて軸９は回転し、軸９に巻いているコイルバネ１６はさらに捩られるが、手を放したり、ケースから取り出す同時にリム１は独りでに元の位置に復帰することが出来る。
【００１６】
ところで、実施例では各リム１，１に軸９，９を固定し、これをブリッジ６の軸穴１０に嵌めた構造と成っている。軸９は片持ち状態でリム１及びレンズ８を支えることになる。そこで、ブリッジ６の軸穴１０には１本の軸を嵌めてこの軸の両端にリム１，１をネジ止め、又はロウ付けすることも出来る。ネジ止めする際にはリム１を折畳む場合にネジが締まるように螺合して取付ければよい。
【００１７】
勿論、１本の軸を使用した場合であってもコイルバネを巻き付け、軸の回転角度は規制され、基本的構造は図２に示す場合と共通する。図４(ａ)、(ｂ)は本発明の折畳式メガネをケースに収納した場合を示している。ケース１８は小さく、特に厚さHは薄くなっているが、リム１，１が折畳まれてツル４，４と重なり合わないことから、該薄いケース１８に収納することが出来る。
【００１８】
ケース１８にはツル４，４を折り曲げて入れ、この状態ではリム１，１が(ｂ)に示すように起立している。しかし、蓋１９をしめることでリム１，１は押圧されてケース１８に収納される。そして蓋１９を開くと同時、リム１，１はコイルバネ１６，１６のバネ力によって立ち上がることが出来る。
【００１９】
以上述べたように、本発明の折畳式メガネはリムに取着した軸をワタリ中央のブリッジの軸穴に嵌め、軸にはコイルバネを巻き付けてリムが元の状態に復帰するようにバネ力を付勢したものであり、次のような効果を得ることが出来る。
【００２０】
【発明の効果】
本発明の折畳式メガネはツルが折畳まれると共に、レンズを嵌めたリムが折畳まれることでコンパクト化し、小さなケースに収納することが出来る。この折畳まれたメガネは両リムとツルが重なり合わない為に、特に厚さの薄いケースに収納出来る。そしてリムを取付けている軸にはコイルバネが巻かれていて、ケースから取出すことで、バネ力が作用してリムは独りでに元の状態に復帰することが出来る。同時に、付勢されるバネ力によってリムがガタ付くことはなく、安定する。一方、リムに設けている軸はワタリ中央のブリッジの軸穴に嵌って取付けられる為に、そしてツルはワタリの両側に継手を介して取着され、互いに独立した折畳み構造と成っていることから、着用したメガネが傾いたり外れることはない。
【図面の簡単な説明】
【図１】本発明の折畳み式メガネ。
【図２】リムを取付ける軸とブリッジ。
【図３】軸がブリッジの軸穴の嵌っている状態。
【図４】折畳み式メガネをケースに収納した場合。
【図５】従来の折畳み式メガネ。
【符号の説明】
１  リム
２  ワタリ
３  ヨロイ
４  ツル
５  マユ
６  ブリッジ
７  継手
８  レンズ
９  軸
10  軸穴
11  切欠き
12  スリット溝
13  ストッパー
14  リング
15  溝
16  コイルバネ
17  止着穴
18  ケース
19  蓋
【図１】
0003694781.tif 000002
【図２】
0003694781.tif 000003
【図３】
0003694781.tif 000004
【図４】
0003694781.tif 000005
【図５】
0003694781.tif 000006